(57)【特許請求の範囲】
【請求項１】
既設の光ケーブルの光ファイバに障害が生じた際に前記光ファイバを接続復旧するための光ケーブル復旧作業用クロージャーであって、
既設の光ケーブルに取付け可能なクロージャー本体と、
前記クロージャー本体内に配設され、既設の光ケーブルの光ファイバ心線のうち損傷していない光ファイバ心線を収納するための第一の心線収納トレイと、
前記クロージャー本体内に配設され、両端部が開放された未接続の光ファイバ心線と、
前記クロージャー本体内に配設され、既設の光ケーブルの光ファイバ心線のうち損傷している光ファイバ心線を接続するための前記未接続の光ファイバ心線を収納するための第二の心線収納トレイと、
を備えたことを特徴とする光ケーブル復旧作業用クロージャー。
【請求項２】
前記クロージャー本体内には、前記第二の心線収納トレイの左右に隣接して配置され、前記既設の光ケーブルにおける損傷が生じた光ファイバ心線と前記第二の心線収納トレイに収納された未接続の光ファイバ心線とを接続するための接続トレイが設けられていることを特徴とする請求項１に記載の光ケーブル復旧作業用クロージャー。
【請求項３】
既設の光ケーブルの光ファイバに障害が生じた際に前記光ファイバを接続復旧するための光ケーブル復旧作業方法であって、クロージャー本体内に両端部が開放された未接続の光ファイバ心線を収納した状態で前記クロージャー本体を既設の光ケーブルに取付け、前記クロージャー本体内において前記既設の光ケーブルにおける損傷していない光ファイバ心線と損傷している光ファイバ心線とを区分けし、損傷していない光ファイバ心線を前記クロージャー本体内の第一の心線収納トレイに収納するとともに、前記既設の光ケーブルにおける損傷している復旧対象の光ファイバ心線同士を第二の心線収納トレイに収納された前記未接続の光ファイバ心線を介して前記クロージャー本体内で接続することを特徴とする光ケーブル復旧作業方法。
【請求項４】
既設の光ケーブルの光ファイバに障害が生じた際に前記光ファイバを接続復旧するための光ケーブル復旧作業方法であって、クロージャー本体を既設の光ケーブルに取付け、前記既設の光ケーブルに取付けられた前記クロージャー本体内に両端部が開放された未接続の光ファイバ心線を収納し、前記クロージャー本体内において前記既設の光ケーブルにおける損傷していない光ファイバ心線と損傷している光ファイバ心線とを区分けし、損傷していない光ファイバ心線を前記クロージャー本体内の第一の心線収納トレイに収納するとともに、前記既設の光ケーブルにおける損傷している復旧対象の光ファイバ心線同士を第二の心線収納トレイに収納された前記未接続の光ファイバ心線を介して前記クロージャー本体内で接続することを特徴とする光ケーブル復旧作業方法。
【発明の詳細な説明】
【技術分野】
【０００１】
この発明は、光ケーブルに損傷などの障害が生じた場合に用いられる光ケーブル復旧作業用クロージャーおよび光ケーブル復旧作業方法に関する。
【背景技術】
【０００２】
光ケーブル接続用のクロージャーは、光ケーブル相互を接続する場合や、また一つの光ケーブルから別の光ケーブルを分岐させる場合に、光ファイバ心線同士を接続することを目的として使用されている。
【０００３】
図６は、従来における光ケーブルが損傷した場合の復旧作業の一例を示している。光ケーブルＣ１は電柱Ｐ１〜Ｐ３に支持されており、光ケーブルＣ１の途中にはクロージャー１とクロージャー２が介装されている。一方のクロージャー１は電柱Ｐ１の近傍に設けられており、他方のクロージャー２は電柱Ｐ３の近傍に設けられている。ここで、電柱Ｐ１と電柱Ｐ２との間にあるＳ１地点で光ケーブルＣ１の光ファイバ心線が損傷（断線）した場合は、光ケーブルＣ１の光ファイバ心線長に余裕がないため損傷個所の心線同士を接続することができず、一方のクロージャー１と他方のクロージャー２との間の距離Ｌに相当する光ケーブルＣ１をすべて別の光ケーブルＣ２に張り替えている。
【０００４】
図７は、従来における光ケーブルが損傷した場合の復旧作業における別の例を示している。光ケーブルＣ３は電柱Ｐ４〜Ｐ６に支持されており、光ケーブルＣ３の途中にはクロージャー３が介装されている。ここで、電柱Ｐ４と電柱Ｐ５との間にあるＳ２地点で光ケーブルＣ３が断線した場合は、電柱Ｐ６の近傍にある余長部Ｃ３ａから光ケーブルＣ３をクロージャー３側に寄せてきて、光ケーブルＣ３の光ファイバ心線をクロージャー３内で接続している。
【０００５】
従来から通信ケーブルにおけるケーブル敷設後の分岐接続方法の一例として、下記特許文献が知られている。特許文献１の分岐接続方法は、作業用吊金具を利用してクロージャーをケーブル吊り線に吊下げた状態で分岐接続作業を行うことにより、通信ケーブルの接続に要するコストの低減と工期短縮を図るものである。
【特許文献１】特開２００３−９３７２号公報
【発明の開示】
【発明が解決しようとする課題】
【０００６】
しかし、図６および図７の光ケーブル復旧作業においては、損傷個所が一個所にもかかわらず光ケーブルＣ２への張替え作業や光ケーブルＣ３の移設作業という広範囲な作業が必要となり、迅速な復旧が難しいという問題がある。特に作業範囲が公道にわたる場合には、事前に作業許可を受けなければならず、多大な時間と労力とを要する。したがって、光通信が発達した今日においては、光ケーブルの障害に対する復旧作業を迅速に行うことが可能な技術開発が望まれる。
【０００７】
そこでこの発明は、光ケーブルに損傷などの障害が生じた場合でも広範囲の復旧作業が不要な光ケーブル復旧作業用クロージャーおよび光ケーブル復旧作業方法を提供することを目的とする。
【課題を解決するための手段】
【０００８】
上記目的を達成するために請求項１に記載の発明は、既設の光ケーブルの光ファイバに障害が生じた際に前記光ファイバを接続復旧するための光ケーブル復旧作業用クロージャーであって、既設の光ケーブルに取付け可能なクロージャー本体と、前記クロージャー本体内に配設され、既設の光ケーブルの光ファイバ心線のうち損傷していない光ファイバ心線を収納するための第一の心線収納トレイと、前記クロージャー本体内に配設され、両端部が開放された未接続の光ファイバ心線と、前記クロージャー本体内に配設され、既設の光ケーブルの光ファイバ心線のうち損傷している光ファイバ心線を接続するための前記未接続の光ファイバ心線を収納するための第二の心線収納トレイと、を備えたことを特徴とする光ケーブル復旧作業用クロージャーである。
【０００９】
この発明によれば、光ケーブルが特定の位置で損傷などした場合は、損傷した位置に光ケーブル復旧作業用クロージャーを取付け、この光ケーブル復旧作業用クロージャー内に収納された未接続の光ファイバ心線を利用して復旧対象の光ファイバ心線同士の接続が行われる。
【００１０】
請求項２に記載の発明は、請求項１に記載の光ケーブル復旧作業用クロージャーにおいて、前記クロージャー本体内には、前記第二の心線収納トレイの左右に隣接して配置され、前記既設の光ケーブルにおける損傷が生じた光ファイバ心線と前記第二の心線収納トレイに収納された未接続の光ファイバ心線とを接続するための接続トレイが設けられていることを特徴としている。
【００１１】
請求項３に記載の発明は、既設の光ケーブルの光ファイバに障害が生じた際に前記光ファイバを接続復旧するための光ケーブル復旧作業方法であって、クロージャー本体内に両端部が開放された未接続の光ファイバ心線を収納した状態で前記クロージャー本体を既設の光ケーブルに取付け、前記クロージャー本体内において前記既設の光ケーブルにおける損傷していない光ファイバ心線と損傷している光ファイバ心線とを区分けし、損傷していない光ファイバ心線を前記クロージャー本体内の第一の心線収納トレイに収納するとともに、前記既設の光ケーブルにおける損傷している復旧対象の光ファイバ心線同士を第二の心線収納トレイに収納された前記未接続の光ファイバ心線を介して前記クロージャー本体内で接続することを特徴とする光ケーブル復旧作業方法である。
【００１２】
請求項４に記載の発明は、既設の光ケーブルの光ファイバに障害が生じた際に前記光ファイバを接続復旧するための光ケーブル復旧作業方法であって、クロージャー本体を既設の光ケーブルに取付け、前記既設の光ケーブルに取付けられた前記クロージャー本体内に両端部が開放された未接続の光ファイバ心線を収納し、前記クロージャー本体内において前記既設の光ケーブルにおける損傷していない光ファイバ心線と損傷している光ファイバ心線とを区分けし、損傷していない光ファイバ心線を前記クロージャー本体内の第一の心線収納トレイに収納するとともに、前記既設の光ケーブルにおける損傷している復旧対象の光ファイバ心線同士を第二の心線収納トレイに収納された前記未接続の光ファイバ心線を介して前記クロージャー本体内で接続することを特徴とする光ケーブル復旧作業方法である。
【発明の効果】
【００１３】
請求項１、３、４に記載の発明によれば、既設の光ケーブルの障害個所に新たに光ケーブル復旧作業用クロージャーを取付けることにより、このクロージャー本体内の未接続の光ファイバ心線を利用して復旧対象の光ファイバ心線同士を接続することができるので、従来のように広範囲にわたる復旧作業が必要なくなり、迅速な復旧作業が可能となり、復旧作業コストも低減することができる。
【００１４】
請求項２に記載の発明によれば、クロージャー本体内には光ファイバ心線を接続するための接続トレイが配設されているので、光ファイバ心線同士の接続が容易となり、復旧作業の能率を高めることができる。
【発明を実施するための最良の形態】
【００１５】
つぎに、この発明の実施の形態について図面を用いて詳しく説明する。
【００１６】
図１ないし図５は、この発明の実施の形態を示している。図３は、復旧作業に用いられる光ケーブル復旧作業用クロージャー１０を示している。この光ケーブル復旧作業用クロージャー１０は、通常は光ケーブル保守部品として倉庫などに保管されており、光ケーブル障害発生時にのみ使用される。光ケーブル復旧作業用クロージャー１０は、主にクロージャー本体１１と、カバー１２と、第一の心線収納トレイ１５と、第二の心線収納トレイ１６と、接続トレイ１７と、光ファイバ心線Ｃ５とを備えている。クロージャー本体１１は、略筒状の樹脂部材から構成されており、上部が金属製の吊り金具１８と連結されている。クロージャー本体１１内の底部には、第二の心線収納トレイ１６と接続トレイ１７が固定されている。第二の心線収納トレイ１６は、薄い箱形に形成されており、上下方向に複数段に積み重ねられている。積み重ねられた複数の第二の心線収納トレイ１６は、それぞれ独立して開けることが可能となっている。接続トレイ１７は、第二の心線収納トレイ１６の左右に隣接して配置されている。接続トレイ１７は、薄い箱形に形成されており、上下方向に複数積み重ねられている。積み重ねられた複数の接続トレイ１７は、それぞれ独立して開けることが可能となっている。
【００１７】
第二の心線収納トレイ１６には、両端部が開放された未接続の光ファイバ心線Ｃ５が収納されている。光ファイバ心線Ｃ５の端部の一方は、第二の心線収納トレイ１６の左側に位置する接続トレイ１７内に引出すことが可能となっている。光ファイバ心線Ｃ５の端部の他方は、第二の心線収納トレイ１６の右側に位置する接続トレイ１７内に引出すことが可能となっている。第二の心線収納トレイ１６の上方には、復旧対象となる光ケーブル４における損傷していない光ファイバ心線Ｃ４ｃを収納するための第一の心線収納トレイ１５が配設されている。第一の心線収納トレイ１５は、薄い箱形に形成されており、光ケーブル４のうち損傷していない光ファイバ心線Ｃ４ｃのみを収納し、光ファイバ心線Ｃ４ｃを保護する機能を有している。
【００１８】
クロージャー本体１１内には、光ケーブルＣ４のスロット（図示略）およびテンションメンバＣ４ｂをクロージャー本体１１に固定するためのケーブル押え金具１４が第一の心線収納トレイ１５の左右に隣接して配置されている。クロージャー本体１１の長手方向端部には、光ケーブルＣ４が挿通されるグロメッド１３が取付けられている。クロージャー本体１１の上部と連結された吊り金具１８の両端部には、既設の光ケーブルＣ４のケーブル支持線Ｃ４ａと連結可能な連結金具２１が設けられている。クロージャー本体１１は、外側に位置するカバー１２によって覆われており、クロージャー本体１１内への水や埃などの侵入が防止されている。
【００１９】
つぎに、上記の光ケーブル復旧作業用クロージャー１０を用いた光ケーブル復旧作業方法について説明する。
【００２０】
図４および図５は、光ケーブルＣ４に損傷などの障害が発生した場合の復旧作業の一例を示している。図４に示すように、光ケーブルＣ４は電柱Ｐ７〜Ｐ９に支持されている。ここで、電柱Ｐ７と電柱Ｐ８との間にあるＳ３地点で光ケーブルＣ４が損傷（断線）した場合は、光ケーブル復旧作業用クロージャー１０を用いた光ケーブル復旧作業が行われる。図５に示すように、光ケーブルＣ４が損傷した場合は、作業用車両１００の昇降作業台１０１に作業者１０２が乗り込み、この状態で昇降作業台１０１を電柱Ｐ７と電柱Ｐ８との間にあるＳ３地点の近傍まで移動させる。つぎに、作業者１０２によって光ケーブルＣ４の損傷位置を特定し、この損傷位置に図３に示す光ケーブル復旧作業用クロージャー１０を取付ける。具体的には、図１に示すように、クロージャー本体１１の両端部に位置する連結金具２１を光ケーブルＣ４のケーブル支持線Ｃ４ａに連結し、光ケーブル復旧作業用クロージャー１０をケーブル支持線Ｃ４ａに吊下げる。その後、カバー１２を開き、クロージャー本体１１内に光ケーブルＣ４の損傷部位を収納し、光ケーブルＣ４にグロメッド１３を装着する。この状態で光ケーブルＣ４の損傷した部位の被覆を除去し、光ケーブルＣ４のスロット（図示略）およびテンションメンバＣ４ｂをケーブル押え金具１４を介してクロージャー本体１１に固定する。
【００２１】
つぎに、クロージャー本体１１内において損傷（断線）している光ファイバ心線Ｃ４ｅと損傷していない光ファイバ心線Ｃ４ｃとを区分けする。ここで、損傷していない光ファイバ心線Ｃ４ｃを保護するため、光ファイバ心線Ｃ４ｃを第一の心線収納トレイ１５に収納する。損傷していない光ファイバ心線Ｃ４ｃについては、第一の心線収納トレイ１５に収納した状態で今後も継続して使用することになる。断線している光ファイバ心線Ｃ４ｅ同士の接続は、第二の心線収納トレイ１６内に収納された未接続の光ファイバ心線Ｃ５を介して行う。
【００２２】
未接続の光ファイバ心線Ｃ５は、両端部が開放された状態で第二の心線収納トレイ１６内に収納されているので、光ファイバ心線Ｃ５の端部を第二の心線収納トレイ１６の左右に設けられた接続トレイ１７内に引き込み、各接続トレイ１７内での光ファイバ心線Ｃ４ｅと光ファイバ心線Ｃ５との接続を行う。詳しくは、図１に示すように、第二の心線収納トレイ１６の左側に位置する接続トレイ１７において、光ファイバ心線Ｃ５の一端部と断線した一方の光ファイバ心線Ｃ４ｅとの接続（融着）を行う。同様に、第二の心線収納トレイ１６の右側に位置する接続トレイ１７において、光ファイバ心線Ｃ５の他端部と断線した他方の光ファイバ心線Ｃ４ｅとの接続（融着）を行う。これにより、断線した光ファイバ心線Ｃ４ｅは、クロージャー本体１１内において光ファイバ心線Ｃ５を介して接続されたことになる。この実施の態様においては、接続トレイ１７を用いて光ファイバ心線Ｃ４ｅと光ファイバ心線Ｃ５との接続を行うので、接続作業が容易となり、復旧作業の能率を高めることができる。光ファイバ心線Ｃ５を利用した光ファイバ心線Ｃ４ｅの接続がすべて終了すると、クロージャー本体１１がカバー１２で覆われ、復旧作業が完了する。
【００２３】
ところで、上記の復旧作業においては、光ファイバ心線Ｃ５を予めクロージャー本体１１に収納させ、光ファイバ心線Ｃ５が収納された光ケーブル復旧作業用クロージャー１０をケーブル支持線Ｃ４ａに吊下げるようにしているが、クロージャー本体１１または通常のクロージャーをケーブル支持線Ｃ４ａに吊下げ、その後これらのクロージャーに光ファイバ心線Ｃ５を収納し、クロージャー本体１１または通常のクロージャー内において光ファイバ心線Ｃ５と断線した光ファイバ心線Ｃ４ｅとの接続を行うようにしてもよい。
【００２４】
光ケーブルＣ４の復旧作業が完了すると、作業用車両１００の昇降作業台１０１を降下させ、作業者１０２は光ケーブル復旧作業用クロージャー１０から離れる。この光ケーブルＣ４の復旧作業における光ケーブルＣ４の接続作業は、光ケーブル復旧作業用クロージャー１０のみを利用して行われるので、従来のように光ケーブルを新たに張り替える場合や、余長部を利用する場合に比べて、作業量も著しく低減することが可能となる。また、復旧作業中には作業用車両１００を移動させる必要もなく、作業用車両１００を作業当初から同じ位置に停止させたままでの復旧作業が可能となる。
【００２５】
このように、光ケーブルＣ４の損傷個所に新たに取付けた光ケーブル復旧作業用クロージャー１０内の未接続の光ファイバ心線Ｃ５を利用して復旧対象の光ファイバ心線Ｃ４ｅ同士を接続することができるので、従来のように広範囲にわたる復旧作業が不要となる。これにより、光ケーブルＣ４に損傷などの障害が発生した場合でも、少ない人数で迅速な復旧作業が可能となり、復旧作業コストを低減することができる。
【００２６】
以上、この発明の実施の形態を詳述してきたが、具体的な構成はこの実施の形態に限られるものではなく、この発明の要旨を逸脱しない範囲の設計の変更等があっても、この発明に含まれる。例えば、実施の形態においては、クロージャー本体１１には第一の心線収納トレイ１５が一つだけ配設され構成としたが、損傷していない光ファイバ心線Ｃ４ｃを多数収納する場合は、第一の心線収納トレイ１５を複数重ねる構成としてもよい。また、実施の形態においては、接続トレイ１７を用いて光ファイバ心線Ｃ４ｅと光ファイバ心線Ｃ５を接続しているが、接続トレイ１７を用いることなく光ファイバ心線Ｃ４ｅと光ファイバ心線Ｃ５とを直接接続する構成であってもよい。
【図面の簡単な説明】
【００２７】
【図１】本発明に係わる光ケーブル復旧作業用クロージャーを既設の光ケーブルへ取付けた状態を示す断面図である。
【図２】図１の光ケーブル復旧作業用クロージャーのＡ−Ａ線に沿う断面図である。
【図３】図１の光ケーブル復旧作業用クロージャーの断面図である。
【図４】本発明の実施の形態における光ケーブルの損傷位置を示す概要図である。
【図５】図１の光ケーブル復旧作業用クロージャーを用いた光ケーブル復旧作業方法を示す概要図である。
【図６】従来の光ケーブル復旧作業方法の一例を示す概要図である。
【図７】従来の光ケーブル復旧作業方法の別の例を示す概要図である。
【符号の説明】
【００２８】
１０        光ケーブル復旧作業用クロージャー
１１        クロージャー本体
１２        カバー
１４        ケーブル押え金具
１５        第一の心線収納トレイ
１６        第二の心線収納トレイ（心線収納トレイ）
１７        接続トレイ
１８        吊り金具
２１        連結金具
Ｃ４        既設の光ケーブル
Ｃ４ａ      ケーブル支持線
Ｃ４ｂ      テンションメンバ
Ｃ４ｃ      損傷していない光ファイバ心線
Ｃ４ｅ      損傷した光ファイバ心線
Ｃ５        未接続の光ファイバ心線
Ｓ３        光ケーブルの損傷地点
【図１】
0004832400.tif 000002
【図２】
0004832400.tif 000003
【図３】
0004832400.tif 000004
【図４】
0004832400.tif 000005
【図５】
0004832400.tif 000006
【図６】
0004832400.tif 000007
【図７】
0004832400.tif 000008